(57)【特許請求の範囲】
【請求項１】
その各々が時間の関数として振幅を表わしている複数のデータ点を各回の時間周期内に含む周期的データを図形的に表示する方法であって、
前記周期的データの少なくとも２つの周期に基づいて、前記データ点の前記振幅に対応する表面を生成する工程と、
前記表面の予め特定された少なくとも１つの関心区域（３７、４２）に対し、該関心区域を前記表面の他の区域（４４、３９）に対して視覚的に差別化するレンダリング形式を割り当てる工程と、出力装置（３６）に対し、前記割り当てられた視覚的に差別化する形式のレンダリングを施した前記表面を表示する工程とを備え、
前記関心区域（３７、４２）の前記視覚的に差別化するレンダリングは、前記関心区域（３７、４２）を構成する前記データ点の最大振幅及び最小振幅に基づく色圧縮を含んでいる方法。
【請求項２】
前記周期的データは周期的な非スカラ型波形を含んでいる請求項１に記載の方法。
【請求項３】
前記周期的データは生理学的データである請求項１に記載の方法。
【請求項４】
前記関心区域（３７、４２）を設定する工程をさらに含んでいる請求項１に記載の方法。
【請求項５】
前記関心区域（３７、４２）を設定する工程は、前記周期的データの周期性の範囲内にある一定のセグメントに対応する幅を指定する工程を含んでいる請求項４に記載の方法。
【請求項６】
その各々が時間の関数として振幅を表わしている複数のデータ点を各回の時間周期内に含む周期的データを図形的に表示する装置であって、
前記周期的データの少なくとも２つの周期に基づいて表面を生成すると共に、該表面の予め特定された少なくとも１つの関心区域（３７、４２）に対し、視覚的に差別化するレンダリング形式を割り当てるように構成されているプロセッサ（３４）と、
該プロセッサ（３４）に結合されており、前記割り当てられた視覚的に差別化する形式のレンダリングを施した表面であって前記データ点の前記振幅に対応している前記表面を表示するように構成されている出力装置（３６）とを備え、
前記関心区域（３７、４２）の前記視覚的に差別化するレンダリングは、前記関心区域を構成する前記データ点の最大振幅及び最小振幅に基づく色圧縮を含んでいる装置。
【請求項７】
前記関心区域（３７、４２）の設定を受け入れるようにさらに構成されている請求項６に記載の装置。
【発明の詳細な説明】
【０００１】
【発明の背景】
本発明は一般的には、周期的データを表示することに関する。さらに具体的には、本発明は、パターンの識別及び／又は異常の診断を容易にするような態様で生理学的な患者データを表示することに関する。
【０００２】
【従来の技術】
医師又は他の医療従事者に様々な生理学的な患者データを提供するために、患者モニタが典型的に用いられている。かかる生理学的な患者データは、異常の診断（緊急治療室における場合等）若しくは患者の現在の状態の診断（手術室又は集中治療室における場合等）を容易にし、又は長期的な傾向監視（年次健康診断の一部としてのホルター監視又は運動負荷試験等）を可能にする。
【０００３】
現状では、患者に１以上のセンサ（変換器（transducer）とも呼ばれる）を接続して、患者に関連する様々な生理学的情報（例えば電気的インパルス、抵抗測定等）を取得している。次いで、かかる生理学的な情報を患者モニタによって処理して、医師又は他の医療従事者に対して出力するのに適した生理学的データとする。これらの生理学的データは、図形的フォーマット及び／又は数値的フォーマットのいずれでも画面に表示したり紙に記録したりすることができる。アナログ式又はディジタル式のストリップ・チャート記録計、スプレッドシート及びプロット用プログラムが生理学的データの出力装置の実例である。加えて、生理学的データをメモリ装置に記憶させてもよいし、或いはネットワークを介して伝達して遠隔からのアクセス及び／又はさらなる処理に供してもよい。
【０００４】
診断に関して意味のある態様で長期間にわたる周期的データのパラメータを表示するために、かかるデータは好ましくは図形的フォーマットで表示されて、かかるデータの周期性を利用してデータの異常又は偏りの識別を容易にする。例えば、心搏周期に関する生理学的データは典型的には図形的フォーマットで示される（例えば波形として）。各回の心搏周期又はその一部を別個の２次元プロット又はグラフで表示することができ、一定の時間の後には表示画面を複数の２次元プロットで埋めることができるようにしている。代替的には、連続的な波形を１つのプロット又はグラフに互いに対して近接して表示してもよい。いずれの場合にも、図形的表示によって、医師又は医療従事者によるデータ（例えば波形の形態）の緩やかな変化又は微妙な変化の識別が支援される。
【０００５】
【発明が解決しようとする課題】
残念ながら、意味のある態様で単一の画面に大量の生理学的データを表示するために、データの表示が直感的とは言えない態様で表示される場合もあり（例えば振幅の幾何形状を色指標表示で置き換える）、「重要でない」ものと見做されたデータの幾分かの側面については、かかるデータが省かれる或いはさもなければ修正される場合がある。かかる表示の表現は視覚的に訴える力が弱く、取得されたデータの臨床的な有用性を遅らせる或いは損なう場合があると見る設備利用者もある。さらに、一旦、データの表示が開始されたら、利用者は通常、この特定の利用者にとってのデータの臨床的な有用性をさらに高めるために表示されているデータを調整又は操作する能力が制限されてしまう。
【０００６】
従って、データの忠実度を犠牲にせずにコンパクトな形態で連続した時間区間にわたる大量の周期的データを表示する装置及び方法が必要とされている。また、臨床的に有用なフォーマットで連続した時間区間にわたる周期的データを表示する装置及び方法が必要とされている。さらに、周期的データの利用者にとっての有用性を高めるように、表示される周期的データを調整するための装置及び方法が必要とされている。
【０００７】
【課題を解決するための手段】
一つの例示的な実施形態は、各回の時間周期内に複数のデータ点を含む周期的データを図形的に表示する方法に関する。各々のデータ点は、振幅を時間の関数として表現している。本方法は、周期的データに基づいて表面を生成する工程を含んでいる。表面はデータ点の振幅に対応している。本方法はさらに、表面の少なくとも１つの区域に対し、該区域を表面の他の区域に関して視覚的に差別化するレンダリングを選択により割り当てる工程を含んでいる。本方法はさらに、選択により割り当てられた視覚的に差別化するレンダリングを施した表面を出力装置に表示する工程を含んでいる。
【０００８】
もう一つの例示的な実施形態は、各回の時間周期内に複数のデータ点を含む周期的データを図形的に表示する装置に関する。各々のデータ点は、振幅を時間の関数として表現している。本装置は、周期的データに基づいて表面を生成すると共に、表面の少なくとも１つの区域に対し、該区域を表面の他の区域に関して視覚的に差別化するレンダリングを選択により割り当てるように構成されているプロセッサを含んでいる。本装置はさらに、プロセッサに結合されており、選択により割り当てられた視覚的に差別化するレンダリングを施した表面を表示するように構成されている出力装置を含んでいる。表面の輪郭はデータ点の振幅に対応している。
【０００９】
さらにもう一つの例示的な実施形態は、各回の時間周期内に複数のデータ点を含む周期的データを図形的に表示する装置に関する。各々のデータ点は、振幅を時間の関数として表現している。本装置は、周期的データに基づいて表面を生成する手段を含んでいる。表面は複数のデータ点の振幅を表現している。本装置はさらに、表面の少なくとも１つの区域を表面の他の区域に関して選択により差別化する手段を含んでいる。本装置はさらに、視覚化のために表面を表示する手段を含んでいる。
【００１０】
【発明の実施の形態】
以下の詳細な説明を添付図面と共に参照することにより好適実施形態がさらに十分に理解されよう。尚、図面では、類似の参照番号は類似の要素を表わす。
【００１１】
図１には、患者監視システム１０の主要な構成要素が示されている。システム１０は、電極１４、酸素測定センサ１６、カテーテル１８、動脈カニューレ２０、流量計２２、圧力センサ２４、気管内チューブ２６、マスク・センサ２８、マスク３０、アナログ−ディジタル（Ａ／Ｄ）変換器３２、プロセッサ３４及び出力装置３６を含んでいる。システム１０は、患者１２に関連する生理学的データを取得し、かかるデータを処理してシステムの利用者（例えば医師、技師、他の医療従事者等）に対して出力するように構成されている。このように、システム１０は、ホルター監視又は運動負荷試験のような長期的な傾向監視を行なうものを含めて様々な臨床的環境での利用向けに構成されている。
【００１２】
以下の議論では心電図（ＥＣＧ）データについて述べるが、この議論は説明の目的のみのためであって、脳波形（ＥＥＧ）、ホルター、又は心搏周期中の血中ガス濃度レベルのような他の形式の生理学的データに対する本発明の実施形態の応用可能性を限定するものでは一切ないことを理解されたい。さらに、システム１０は、非生体又は標本を監視し、対応して生理学的データ以外のデータを出力するように構成してもよいことも理解されたい。比較的大量の周期的波形形式のデータがシステム１０の出力能力による利点を享受することができる。周期的波形形式のデータは、各々の時間周期又は時間区間毎に複数のデータ点を含むデータであって、連続した周期又は区間に対応するデータが単一のプロット又はグラフとしてプロットされる場合には表面としてモデル化することのできるようなデータを指す。システム１０は、データの忠実度を保存しつつ、表示されるデータにおいて傾向、緩やかな変化若しくは微妙な変化、又は異常の識別を容易にするような態様でかかるデータを表示する。
【００１３】
システム１０は、電極１４、酸素測定センサ１６、カテーテル１８、動脈カニューレ２０、流量計２２、圧力センサ２４及びマスク・センサ２８のようなセンサ又は変換器を介して患者１２に結合している。電極１４は好ましくは、患者の胸部に配置されて心搏データ（例えば心電図及び心搏数）を取得する。酸素測定センサ１６は患者の指に配置されて、ヘモグロビン酸素飽和度を測定する。カテーテル１８及び動脈カニューレ２０は、それぞれ患者の胸部内部及び腕内部に配置されて、それぞれ心臓の大静脈におけるヘモグロビン酸素飽和度を測定し、また動脈の収縮期圧及び拡張期圧を測定する。
【００１４】
気管内チューブ２６は、患者の気道に近接して配置され、流量計２２と圧力センサ２４とを含んでいる。流量計２２は、気管の気体の流れを測定し、圧力センサ２４は気道の圧力を測定する。マスク３０は気管内チューブ２６に結合しており、患者の口中の酸素及び二酸化炭素（ＣＯ2）の体積百分率を測定するマスク・センサ２８を含んでいる。
【００１５】
電極１４、酸素測定センサ１６、カテーテル１８、動脈カニューレ２０、流量計２２、圧力センサ２４及びマスク・センサ２８（集合的にセンサと呼ぶ）によって取得された信号は、Ａ／Ｄ変換器３２に伝達されて、アナログ・フォーマットからプロセッサ３４への入力として適したディジタル・フォーマットへ変換される。プロセッサ３４は、受け取ったデータを出力装置３６への出力向けに準備する。出力装置３６は、システムの利用者（例えば医師、技師等）によって観察され且つ／又は調整されるデータを表示する。出力装置３６は、表示器（陰極線管（ＣＲＴ）、液晶表示器（ＬＣＤ）、タッチ・スクリーン及びプロジェクション表示器等）、プロッタ、プリンタ、メモリ装置又は他の様々な出力装置であってよい。図示していないが、Ａ／Ｄ変換器３２は代替的に、プロセッサ３４の一部を構成していてもよい。また、出力装置３６に表示されるべきデータに応じてセンサの構成を変えてもよい。
【００１６】
例示的な実施形態では、プロセッサ３４は、電子式表示器を含む出力装置３６への表示向けに生理学的データを処理する。プロセッサ３４は、データ取得が完了した後にデータを処理してもよい。代替的には、例えば１０秒間分のデータが取得される毎にデータ処理を行なう等のように、データ取得中の不連続な時間周期毎にデータ処理を行なってもよい。さらに他の代替的な形態では、実時間で、擬実時間で、又はデータ取得の開始後の固定した時間遅延毎に、データ処理を行なってもよい。
【００１７】
取得されたデータはシステム１０のメモリ（図示されていない）に記憶される。心臓に関連した生理学的データの場合には、メモリは一連のＥＣＧトレースを記憶しており、各々のトレースが患者１２に配置された特定の誘導からの一連の心搏周期又は鼓動周期を表わしている。各々のトレースは、時間の関数として上方偏差及び下方偏差を有する（すなわち可変振幅を有する）波形を含んでいる。システム１０は典型的には、大量の生理学的データを取得しており、従って、多数のトレースがメモリに記憶されている。例えば、システム１０は患者の胸部の痛みに接近するために数時間にわたって微小間隔で１０秒間分のＥＣＧデータを取得又は収集する場合がある。他の例では、システム１０は、心臓発作後又は術後の４８時間にわたってＥＣＧデータを取得又は収集する場合もある。さらに、ＥＣＧデータ取得は典型的には、データ取得の単位時間毎に、以下の１２の誘導の各々について１つずつ１２のトレースを生成する。すなわち第Ｉ誘導、第II誘導、第III誘導、Ｖ１誘導、Ｖ２誘導、Ｖ３誘導、Ｖ４誘導、Ｖ５誘導、Ｖ６誘導、ＡＶＬ誘導、ＡＶＲ誘導及びＡＶＦ誘導である。このように、パターンのずれの識別を容易にしながらデータの忠実度の損失を最小限として、少なくとも実質的な量の上述のようなデータを一つの表示野又は画面ショットに表示するために、データ視覚化体系がシステム１０に含まれている。
【００１８】
一実施形態では、データ視覚化体系は、出力装置３６上に１以上の誘導からのデータを（データ図形の形態で）表示するように構成されている。特定の誘導をシステム１０における既定の誘導として指定してもよいし、或いは利用者が、いずれのデータ（特定の誘導に対応する）を表示すべきかを指定できるようにしてもよい。例えば、心虚血症の評価の場合には、典型的には第Ｉ誘導、第II誘導及びＶ５誘導に対応するデータ図形が表示される。
【００１９】
いずれの場合にも、プロセッサ３４が、選択された誘導の一連のトレースを処理して、２  １／２次元表面を表わす多角形メッシュ（表面高マップとも呼ぶ）を生成する。最初期の時間指標を有するトレースが画面の左側底部の最も近くに配置された後に、各々の連続した時間指標のトレースが前回のトレースの僅かずつ右側上方に（すなわち画面の頂部に向かって）配置される。代替的には、時間指標が増すにつれて画面の左側底部に向かって移動するようにトレースを配置してもよいことを理解されたい。トレースの各々が特定の誘導からの一回の心搏周期の波形を表わしているが、これらのトレースは、その上下に配置したトレースに対して時間的に整列した状態で水平軸（ｘ軸）に沿って配置している訳では必ずしもない。その代わりに、トレースは、トレースの集合に共通でありおそらく一意であると考えられる生理学的に重要な（且つアルゴリズムとして算出される）参照点（すなわち基準点（fiducial point））に基づいてｘ軸に沿って整列する。この態様で、各回の心搏周期に沿った対応する点が互いに対して視覚的に整列して表示され、利用者がパターン及び／又はパターンの異常を迅速に識別できるようにする。
【００２０】
この多角形メッシュの（頂上）表面の輪郭は、上述のようにして配置されたトレースの集合の上方偏差及び下方偏差（すなわち振幅）によって画定される。多角形メッシュの生成はまた、メッシュの（頂上）表面に色又は陰影をレンダリングすることを含んでいる。このレンダリングによって、多角形メッシュの表面の所与の部分の該部分の周囲区域に対する視覚的な差別化を行なうことができる。プロセッサ３４は、トレースから振幅の一定の参照値（等電線又はベースラインとも呼ぶ）を決定し、次いで、トレースを表わすすべてのデータ点（又は幾つかのサンプリング・データ点）についてこのベースラインからの偏りを決定する。ベースラインよりも小さい（又はベースラインに対して負の）心搏振幅データ点のデータ値には第一の色（例えば青）を指定し、ベースラインよりも大きい（又はベースラインに対して正の）データ値には第二の色（例えば赤）を指定し、ベースラインに位置するデータ値又はベースラインの近くのデータ値には第三の色（例えば白）を指定する。ベースラインからの偏りが増すにつれて、指定された色の明度も高まる。このように、上の例を続けると、ベースラインに対して正方向に最大の偏りを有するデータ点は明るい赤となり、ベースラインに対して負方向に最大の偏りを有するデータ点は明るい青となる。
【００２１】
代替的には、色表現の体系が３色よりも多い又は少ない「基本」色を含んでいてもよいし、「基本」色として多様な色のうち任意の一色を用いてもよいし、且つ／又は「基本」色からの明度変化を用いる代わりにベースラインからの各々の偏りの増分毎に異なる色を指定してもよい。色又は陰影によるレンダリングは、純色、グレイ色調、パターン（縞、網目、水玉等）によるレンダリング、又は一つの区域を他の区域と視覚的に差別化する他の形式のレンダリングを含むことを理解されたい。また、利用者が所望の色を指定する、或いはシステム１０が既定の設定を与えることも想到される。
【００２２】
好ましくは、利用者は、表面の色割り当ての前に、さらに好ましくは多角形メッシュの生成が開始する前に、多角形メッシュ表面のレンダリング・モードを選択する。表面のレンダリング・モードは、ワイヤ・フレーム・モード（図２参照）、頂点彩色又は標高式モード（図３参照）、実体的陰影モード（図４参照）又は組み合わせモード（図５参照）から選択することができる。なお、図３、５、６に関しては、特許出願の様式の関係上、カラー画像を白黒に変換して図示している。かかるレンダリングはプロセッサ３４において行なわれ、利用者は、システム１０に含まれている入力装置（図示されていない）を介して所望のレンダリング・モードを入力する。入力装置には、マウス、ジョイスティック、キーボード、トラックボール、タッチ・スクリーン、光ワンド及び音声制御装置があるがこれらに限定されていない。
【００２３】
出力装置３６に表示される場合のワイヤ・フレーム・モードでのデータ図形又はデータ視覚化のサンプルを図２に示す。ワイヤ・フレーム・モードは線プロット４６として表示される個々のトレースで構成される。従って、任意の一つのトレースをその隣接トレースと識別することができる。ワイヤ・フレーム・モードは好ましくは、色割り当て又は色符号化を含まない。但し、他の実施形態では、ワイヤ・フレーム・モードが前述のような振幅の関数としての色割り当てを含むことも想到される。
【００２４】
出力装置３６に表示される場合の標高式モード、実体的陰影モード及び組み合わせモードでのデータ図形又はデータ視覚化のサンプルを図３〜図５にそれぞれ示す。これらのモードの各々が（頂上）表面（多角形メッシュで構成されるトレースの振幅の関数としての輪郭）を含んでおり、（頂上）表面は以下に述べるようにして色又は陰影を施されている。
【００２５】
標高式モードは、多角形メッシュの（頂上）表面全体又は（頂上）表面の一部（すなわち関心区域）に対して振幅の関数として色を割り当ててレンダリングする。図３では、標高式モードのデータ図形は、関心区域３７と周囲区域３９とを含んでいる。図の比較的淡い色で示された関心区域３７のみが色でレンダリングされる。かかる関心区域は利用者によって予め指定されているか、或いはシステム１０によって既定の設定として与えられている。関心区域３７は、多角形メッシュで構成されているトレースの各々における心搏周期の特定のセグメントを含んでいる。例として、図３に示す関心区域３７は、心搏周期のＳＴセグメントである。この図において、高く隆起して見える部分の頂点付近は赤い色でレンダリングされ、そのふもと部分は青で、中腹部は、中間色のオレンジ、黄、グリーン等でレンダリングされる。そして、低く隆起している部分の頂点はオレンジ色でレンダリングされる。表面の残りの区域すなわち周囲区域３８はレンダリングされないか、或いはその実際の振幅に関わらず無彩色でレンダリングされていてもよい。
【００２６】
実体的陰影モードは、表面全体に対して一つの色を割り当てる。しかしながら、得られる多角形メッシュは、観察者（さらに具体的には、観察者の視角）に対する多角形メッシュの表面の特定の配向又は方向による（図４に示すような）色変化又は陰影変化を含むものとなる。表面は、固定した光源からの有向の光の存在下で表面がレンダリングされている場合と同等な状態で、明区域及び影区域（例えばそれぞれ明区域３８及び影区域４０）のレンダリングを含んでいる。かかるレンダリングにより、表面の輪郭及び表面上の一つの区域から他の区域への変化を認識することがさらに容易になる。
【００２７】
組み合わせモードは、関心区域が指定されている場合を除き、実体的陰影モード（上述）で多角形メッシュの表面全体をレンダリングする。関心区域が指定されている場合には、組み合わせモードは、（図５に示すように）振幅の関数として関心区域４２（比較的濃い色の部分）をレンダリングし、残りの表面すなわち周囲区域４４を実体的陰影モードでレンダリングする。好ましくは、周囲区域４４はグレイ色調となっており、関心区域４２はカラーとなっている。図５では、関心区域４２は心搏周期のＳＴセグメントである。代替的には、関心区域４２は、ＱＲＳコンプレクスのような心搏周期の他の部分であってもよい。
【００２８】
関心区域を含むモード（例えば標高式モード及び組み合わせモード）では、色範囲は、関心区域内部の最小振幅及び最大振幅に対して決定される。このようにすると、色圧縮が存在することになり、すなわち相対的に小さい振幅範囲に相対的に多数の色が存在することになり、これにより、波形の微妙な変化又は異常を識別することがさらに容易になる。さらに、関心区域の幅を制御することにより、利用者が色圧縮をさらに十分に実現することができ、例えば、典型的には幅を狭くするほど小さい振幅変化に対応するものとなる。図５の例では、図３と同様に、関心区域４２において高く隆起して見える部分の頂点付近は赤い色でレンダリングされ、そのふもと部分は青で、中腹部は、中間色のオレンジ、黄、グリーン等でレンダリングされる。そして、低く隆起している部分の頂点はオレンジ色でレンダリングされる。
【００２９】
一旦、データ図形の少なくとも一部が出力装置３６に表示されると、システム１０は、利用者に対してさらなる対話型相互作用の特徴を提供する。システム１０は、表示されているデータ図形と実時間又は擬実時間で対話型で相互作用して、利用者がパターン若しくは変化を迅速に識別する且つ／又は疑わしい時間周期をさらに詳細に検査することをさらに容易にする。例えば、システム１０は、利用者がカレントのデータ図形のレンダリング・モードを変更できるようにする。
【００３０】
他の例では、システム１０は、利用者が多角形メッシュの視線配向を修正できるようにする。システム１０に含まれている入力装置を用いて、利用者は当技術分野で周知のように、設定ツールにアクセスし（グラフィック・ユーザ・インタフェイス上等で）、表示されているデータ図形をズーム・イン若しくはズーム・アウトさせる（例えば拡大率）、回転させる及び／又は並進させる等を行なう。従って、図２〜図５のデータ図形は、観察者に対してレンダリングされた表面の遠近像を与えるように（換言すれば、視線方向がＳＴセグメントの右側からになるように）配向される。対照的に、図６のデータ図形は、レンダリングされた表面の上面像（上から見た状態）を示している。明確に述べると、図６は、図３のデータ図形（すなわち、ＳＴセグメントを関心区域として標高式モードでレンダリングされているデータ図形）の上面像であり、関心区域３７及び周囲区域３９を示している。
【００３１】
システム１０の他の対話型相互作用の特徴は、「ウィンドウ・スライド」特徴である。標高式モード及び組み合わせモードに関して、カラー・レンダリングについて関心区域を最初に指定できる（整列性及び基準点に基づく等により）ことに加えて、利用者は、カレントの関心区域の左側又は右側の区域を指定することにより関心区域を変更することもできる（すなわち心搏周期の異なるセグメントをレンダリングする）。この動作は、心搏周期の異なるセグメントに焦点を当てるために観察ウィンドウを左又は右へスライドさせることに幾分類似している。さらに、上述のように、システム１０はまた、利用者が観察ウィンドウの幅（すなわちレンダリングされるべき心搏周期内の時間）を指定できるようにしてもよい。
【００３２】
この態様で、大量のデータが、診断目的及び治療目的のためにデータのパターン、変化及び／又は異常の識別を容易にするようにして視覚的に表示される。本発明のデータ表示体系は、波形の形態を保存し、データの直感的な表示のために波形の偏差を表わす遠近図法の輪郭表面のようなレンダリング選択肢を提供する。さらに、本データ表示体系は、表示されるデータの設定による修正を可能にして、データの任意の所与の観察者向けにデータ表示を適応構成する及び／又はデータ内の疑わしい時間周期にさらに十分に焦点を当てる等を行なうことができる。このようにして、例えば心搏周期のＳＴセグメント内の上昇領域の発生に焦点を当てることにより、心虚血症を検査することができる。
【００３３】
図面に示すと共に以上に説明した本発明の実施形態及び応用は現状で好ましいものであるが、これらの実施形態は例示のためにのみ提示されていることを理解されたい。例えば、出力装置３６は、所与の時刻に第Ｉ誘導、第II誘導及びＶ５誘導等の各々について１つずつのデータ図形を２つ以上表示してもよい。データ図形の各々が、互いに対して異なるレンダリング・モード、視角又は視線配向、色体系等を有していてもよい。他の例では、組み合わせモード及び／又は標高式モードの色表現体系が、トレースの最大及び最小の振幅範囲に基づいたものであってもよい。さらに他の例では、以上に述べた設定の柔軟性を利用して、出力装置３６上でのデータ図形の初期表示の前にデータ図形の観察相を指定してもよい。従って、本発明は特定の実施形態に限定されているのではなく、特許請求の範囲内に尚含まれる様々な改変に拡張されている。
【図面の簡単な説明】
【図１】本発明の実施形態を採用した患者監視システムのブロック図である。
【図２】図１の患者監視システムによって取得される生理学的データの第一の視覚的表現の図である。
【図３】図１の患者監視システムによって取得される生理学的データの第二の視覚的表現の図である。
【図４】図１の患者監視システムによって取得される生理学的データの第三の視覚的表現の図である。
【図５】図１の患者監視システムによって取得される生理学的データの第四の視覚的表現の図である。
【図６】図１の患者監視システムによって取得される生理学的データの第五の視覚的表現の図である。
【符号の説明】
１０  患者監視システム
１２  患者
１４  電極
１６  酸素測定センサ
１８  カテーテル
２０  動脈カニューレ
２２  流量計
２４  圧力センサ
２６  気管内チューブ
２８  マスク・センサ
３０  マスク
３２  アナログ−ディジタル（Ａ／Ｄ）変換器
３４  プロセッサ
３６  出力装置
３７  関心区域
３８  明区域
３９  周囲区域
４０  影区域
４２  関心区域
４４  周囲区域
４６  線プロット
【図１】
0004141133.tif 000002
【図２】
0004141133.tif 000003
【図３】
0004141133.tif 000004
【図４】
0004141133.tif 000005
【図５】
0004141133.tif 000006
【図６】
0004141133.tif 000007